(57)【要約】【課題】音楽再生装置に記録された複数のファイルから任意のファイルを特定して再生させるべく、携帯電話から操作させる音楽再生装置を提供する。【解決手段】デジタル音声ファイル形式等の複数のファイルを記憶領域に記録する記録部２５と、外部の移動型通話装置Ｍと無線通信を行う通信部１２と、このファイルを圧縮・伸張する圧縮伸張部３１と、伸張されたファイルを再生する再生部２８と、各部に電源電位を供給するバッテリ部３５と、移動型通話装置との認証処理に成功すると複数のファイルのフォルダ構造を含む操作情報を移動型通話装置に送信し、移動型通話装置から複数のファイルの一つを指定した再生命令を受けると、記録部から該当のファイルを読み出し伸張して再生部により再生するべく各部を制御する制御部２４とを有する音楽再生装置。【選択図】図１
2006094448.tif 000002
【特許請求の範囲】
【請求項１】
少なくともデジタル音声ファイル形式の複数のファイルを記憶領域に記録する記録部と、
外部の移動型通話装置と無線通信を行う通信部と、
前記記録部が記録する前記ファイルを圧縮し伸張する圧縮伸張部と、
前記圧縮伸張部により伸張されたファイルを再生する再生部と、
少なくとも前記記録部と前記通信部と前記圧縮伸張部と前記再生部とに電源電位を供給するバッテリ部と、
前記通信部により前記移動型通話装置と認証処理を行いこれに成功すると、前記複数のファイルのフォルダ構造を含む操作情報を前記通信部を介して前記移動型通話装置に送信し、その後、前記移動型通話装置から、前記複数のファイルの一つを指定した再生命令を受けると、前記記録部から該当のファイルを読み出し、前記圧縮伸張部で伸張して，前記再生部により再生するべく各部を制御する制御部と、
を具備することを特徴とする音楽再生装置。
【請求項２】
前記通信部は、ブルートゥース（Bluetooth）規格に応じて前記移動型通話装置と通信を行うことを特徴とする請求項１記載の音楽再生装置。
【請求項３】
前記通信部は、ＵＷＢ規格，赤外線通信規格、無線ＬＡＮ規格の少なくとも一つに応じて前記移動型通話装置と通信を行うことを特徴とする請求項１記載の音楽再生装置。
【請求項４】
前記通信部は、前記複数のファイルを各々格納するフォルダのフォルダ構造を前記通信部を介して前記移動型通話装置に送信することを特徴とする請求項１記載の音楽再生装置。
【請求項５】
前記通信部は、前記記録部の記憶領域の空容量情報を前記移動型通話装置に送信することを特徴とする請求項１記載の音楽再生装置。
【請求項６】
前記通信部は、前記移動型通話装置の操作画面に表示すべき画像情報又は操作画面に表示すべき画像情報を生成するのに必要な情報を、前記通信部を介して前記移動型通話装置に送信することを特徴とする請求項１記載の音楽再生装置。
【請求項７】
複数の操作スイッチの操作に応じて、前記ファイルの再生のための操作信号を出力する操作部を更に有しており、
前記通信部は、前記操作部の複数の操作スイッチに対応した前記移動型通話装置の操作画面に表示すべき画像情報を、前記移動型通話装置に送信することを特徴とする請求項１記載の音楽再生装置。
【請求項８】
前記制御部は、前記通信部が前記移動型通話装置から着信信号を受けたら、これに応じて、現在再生中のデジタル音声ファイル形式のファイルの再生を中断し又は音量を下げた上で、ユーザに着信があったことを音声又は他の方法で知らせるべく各部を制御することを特徴とする請求項１記載の音楽再生装置。
【請求項９】
前記制御部は、前記通信部が前記移動型通話装置から着信信号と、この着信の電話番号を示す信号とを受けたら、これに応じて、現在再生中のデジタル音声ファイル形式のファイルの再生を中断し又は音量を下げた上で、前記電話番号に応じた前記デジタル音声ファイル形式のファイルを再生することでユーザに着信があったことを知らせるべく各部を制御することを特徴とする請求項１記載の音楽再生装置。
【請求項１０】
前記制御部は、前記移動型通話装置から所定のファイルと、前記複数のファイルのフォルダ構造における前記所定ファイルが記録されるべき位置とが転送されてきたら、前記所定ファイルを前記記録部の記録領域の指定の位置に記録することを特徴とする請求項１記載の音楽再生装置。
【請求項１１】
固定局と無線信号を送受信することで他の移動型通話装置と通話を行う通話部と、
前記通話部の無線信号とは異なる信号形態の無線信号により、前記通話部より小規模な通信範囲において外部の音楽再生装置と通信を行う通信部と、
前記通話部の通話処理及び前記通信部の通信処理に応じた画像を画面表示する表示部と、
前記通話部の通話処理及び前記通信部の通信処理の操作を行う操作部と、
前記音楽再生装置から与えられた前記音楽再生装置の記録部に記録されている少なくともデジタル音声ファイル形式の複数のファイルのフォルダ構造に基づいて、この複数のファイルを前記表示部に表示し、ユーザの前記操作部の操作に応じて、所定のファイルが特定され所定の処理命令がなされれば、前記通信部を介して、所定ファイルの所定処理命令があったことを前記外部の音楽再生装置に対して通知するべく制御する制御部と、
を具備することを特徴とする移動型通話装置。
【請求項１２】
前記通信部は、ブルートゥース（Bluetooth）規格、ＵＷＢ規格，赤外線通信規格、無線ＬＡＮ規格の少なくとも一つに応じて前記外部の音楽再生装置と通信を行うことを特徴とする請求項１１記載の移動型通話装置。
【請求項１３】
前記通信部は、前記音楽再生装置から、前記複数のファイルのフォルダのフォルダ構造と、前記音楽再生装置が有する記録部の記憶領域の空容量情報と、前記表示部の画面に表示すべき画像情報又は表示すべき画像情報を生成するのに必要な情報と、前記音楽再生装置が有している複数の操作スイッチに対応した前記表示部の画面に表示すべき画像情報との内の少なくとも一つを受信することを特徴とする請求項１１記載の移動型通話装置。
【請求項１４】
前記制御部は、前記通話部での着信があれば、着信があったことを示す信号を前記通信部を介して前記外部の音楽再生装置に通知することを特徴とする請求項１１記載の移動型通話装置。
【請求項１５】
前記制御部は、前記音楽再生装置から与えられた前記音楽再生装置の記録部に記録されている複数のファイルのフォルダ構造及び前記記録部の記憶領域の空容量情報とを前記表示部に表示し、ユーザの前記操作部の操作に応じて、当該移動型通話装置が内蔵している記憶領域にあるメール情報、電話帳情報、音声情報、画像情報、動画情報、フォルダ構造等の情報の少なくとも一つを移動させるべく、前記音楽再生装置の前記記録部における移動先である位置情報を伴って、前記通信部を介して前記音楽再生装置に送信するべく制御することを特徴とする請求項１１記載の移動型通話装置。
【請求項１６】
音楽再生装置と移動型通話装置とサーバ装置とを有しており、前記音楽再生装置と前記移動型通話装置とは第１無線通信で通信可能であり、前記移動型通話装置と前記サーバ装置とは前記第１無線通信と信号形態が異なる第２無線通信及びインターネットを介して通信が可能である情報再生システムにおいて、
前記音楽再生装置の記録部に記録されたデジタル音声ファイル形式の複数のファイルのフォルダ構造が前記移動型通話装置に前記第１無線通信で供給されると、前記移動型通話装置においては、前記複数のファイルのフォルダ構造に基づいて表示画面に表示を行い、これに応じてユーザが前記移動型通話装置の操作部を介して所定のファイルの再生命令を指示すると、この所定ファイルに応じた歌詞情報を前記第２無線通信及びインターネットを介して前記サーバ装置から取得し、前記所定ファイルと前記再生命令とを前記第１無線通信で前記音楽再生装置に送信し、前記移動型通話装置では前記取得した歌詞情報を表示し、前記音楽再生装置では前記所定ファイルを再生するべく制御するそれぞれの制御部を、前記音楽再生装置と移動型通話装置とサーバ装置が具備することを特徴とする情報再生システム。
【請求項１７】
音楽再生装置の移動型通話装置を用いた操作方法であって、
前記音楽再生装置は前記移動型通話装置との間で認証処理を行い、
前記認証処理に成功すると、前記音楽再生装置が記録している少なくともデジタル音声ファイル形式の複数のファイルのフォルダ構造を含む操作情報を前記移動型通話装置に送信し、
前記移動型通話装置から前記複数のファイルの一つを指定した再生命令を受けると、該当のファイルを読み出し伸張して再生することを特徴とする音楽再生装置の操作方法。
【請求項１８】
前記移動型通話装置から着信信号を受けると、これに応じて、現在再生中のデジタル音声ファイル形式のファイルの再生を中断し又は音量を下げた上で、ユーザに着信があったことを音声又は他の方法で知らせるべく各部を制御することを特徴とする請求項１７記載の音楽再生装置の操作方法。
【請求項１９】
前記移動型通話装置から着信信号とこの着信の電話番号を示す信号とを受けたら、これに応じて、現在再生中のデジタル音声ファイル形式のファイルの再生を中断し又は音量を下げた上で、前記電話番号に応じた前記デジタル音声ファイル形式のファイルを再生することでユーザに着信があったことを知らせるべく各部を制御することを特徴とする請求項１７記載の音楽再生装置の操作方法。
【請求項２０】
音楽再生装置と移動型通話装置とサーバ装置とを有しており、前記音楽再生装置と前記移動型通話装置とは第１無線通信で通信可能であり、前記移動型通話装置と前記サーバ装置とは前記第１無線通信と信号形態が異なる第２無線通信及びインターネットを介して通信が可能である情報再生システムの操作方法であって、
前記音楽再生装置の記録部のデジタル音声ファイル形式の複数のファイルのフォルダ構造が前記移動型通話装置に前記第１無線通信で供給されると、前記移動型通話装置においては、前記複数のファイルのフォルダ構造に基づいて表示画面に表示を行い、
これに応じてユーザが前記移動型通話装置の操作部を介して所定のファイルの再生命令を指示すると、この所定ファイルに応じた歌詞情報を前記第２無線通信及びインターネットを介して前記サーバ装置から取得し、
前記移動型通話装置では取得した前記歌詞情報を表示画面にて表示し、前記所定ファイルと前記再生命令とを前記第１無線通信で前記音楽再生装置に送信することで前記音楽再生装置では、前記所定ファイルを再生することを特徴とする情報再生システムの操作方法。
【発明の詳細な説明】
【技術分野】
【０００１】
本発明は、デジタル情報の符号化復号化を行う情報処理装置（音楽再生装置）に関し、特に、移動型通話装置で操作することができる情報処理装置（音楽再生装置）、移動型通話装置、情報処理システム（音楽再生システム）、及びこの操作方法に関する。
【背景技術】
【０００２】
最近、デジタル技術の進歩に伴い、デジタル情報の符号化・復号化を行う情報処理装置が多く開発・製造され普及してきている。このようなデジタル情報の情報処理装置においては小型化も進み、手軽にデジタル情報を扱うツールとしての情報処理装置が一般化してきている。
【０００３】
このような情報処理装置においては、一般に、ヘッドホン等のコードの一部が液晶付リモコンユニットとなっており、このリモコンユニットを用いることで、例えば、通勤中の電車内等でも容易に曲送り等の操作を行うことができる。しかし、コードで本体と接続された状態で操作するのでリモコンユニットが自由にならず操作しづらいという面がある。又、最近では、オーディオプレイヤーに記録可能な曲数が爆発的に増加してきており液晶リモコンに表示させたい（又は表示すべき）情報が増えてきた。そのため付属リモコンの液晶サイズを大きくするか文字を小さくするなどの必要があるが使い勝手が悪くなる場合が多い。
【０００４】
一方、特許文献１においては、例えば、携帯電話で家電機器等を操作する例が挙がっており、例えば、ＶＴＲ（video tape recorder）の操作信号を光送信することが示されている。
【特許文献１】特開平１１−２８４７５７号公報。
【発明の開示】
【発明が解決しようとする課題】
【０００５】
しかし、従来技術である特許文献１は、ＶＴＲの操作信号を光送信で操作すると述べられているが、それ以上の開示が何もないため、例えば、本願に係る情報処理装置（音楽再生装置）において、デジタル情報である複数の音声（音楽）ファイルから任意のファイルを特定させ再生させる操作をどのように実現するかが判らないという問題がある。
【０００６】
本発明は、情報処理装置（音楽再生装置）に記録された複数のファイルから任意のファイルを特定して再生させるべく携帯電話から操作させる情報処理装置、移動型通話装置、情報処理システム、及びこの操作方法を提供することを目的とする。
【課題を解決するための手段】
【０００７】
本発明の一実施形態である音楽再生装置は、少なくともデジタル音声ファイル形式の複数のファイルを記憶領域に記録する記録部と、外部の移動型通話装置と無線通信を行う通信部と、前記記録部が記録する前記ファイルを圧縮し伸張する圧縮伸張部と、前記圧縮伸張部により伸張されたファイルを再生する再生部と、少なくとも前記記録部と前記通信部と前記圧縮伸張部と前記再生部とに電源電位を供給するバッテリ部と、前記通信部により前記移動型通話装置と認証処理を行いこれに成功すると、前記複数のファイルのフォルダ構造を含む操作情報を前記通信部を介して前記移動型通話装置に送信し、その後、前記移動型通話装置から、前記複数のファイルの一つを指定した再生命令を受けると、前記記録部から該当のファイルを読み出し、前記圧縮伸張部で伸張して，前記再生部により再生するべく各部を制御する制御部とを具備することを特徴とする音楽再生装置である。
【発明の効果】
【０００８】
上記した情報処理装置（音楽再生装置）は、バッテリ部を備えた移動型の記録再生装置であり、少なくとも、記録部が記録しているデジタル音声ファイル形式の複数のファイルのフォルダ構造（ツリー構造）を、携帯電話に通知するものである。そして、携帯電話では、この複数ファイルのフォルダ構造（ツリー構造）に基づいて、複数の音楽ファイルのフォルダ構造の全部又は一部を表示することで、直感的なファイル選択を容易に可能とするものである。
【０００９】
これにより、例えば、ヘッドホンのコードの一部であったリモコンユニットで操作していた場合には、コードが情報処理装置（音楽再生装置）の本体に接続されており、自由な操作感を得ることができなく、更に、表示部が大きく取れないため、せいぜい、１曲のタイトルしか表示できなかった場合に比べて、操作感を非常に向上させることができる。更に、最近、一般に行われてきている通勤電車内での電子メールの操作に対して、このような携帯電話の操作の延長で、情報処理装置（音楽再生装置）の選曲操作を直感的に行うことが可能となり、電子メール操作のＢＧＭの選曲操作としての使われ方で、容易な操作性を得ることが可能となるものである。
【００１０】
又、比較的記憶容量に余裕のない携帯電話において、メールファイル、電話帳ファイル、音楽ファイル、画像ファイル、動画ファイル、アプリケーションファイル等はメモリや動作上の負担ともなる。しかし、本発明の実施形態である情報処理装置（音楽再生装置）と組み合わせて、この情報処理装置をこれらのファイルの保存装置として使用することで、記憶容量については自宅で使用するパーソナルコンピュータに近い環境で、携帯電話による種々の動作を行うことが可能となるものである。
【発明を実施するための最良の形態】
【００１１】
以下、この発明の実施の形態について図面を参照して詳細に説明する。なお、本願であつかう音楽再生装置は、音楽ファイルを主に扱うことを示すものであり、処理する対象はこれに限定されるものではなく情報ファイル一般をあつかうものであり、従って、本願が開示するものは情報処理装置と情報処理システムに関するものである。以下、特に、音声ファイルを中心に実施形態を説明する。
【００１２】
＜本発明の一実施形態である情報処理装置＞
以下、図面を参照して本発明の実施形態である情報処理装置について詳細に説明する。図１は、本発明の一実施形態に係る情報処理装置の構成の一例を示すブロック図、図２は、本発明の一実施形態に係る情報処理装置の操作スイッチの一例を示す外観図、図３は、同じく情報処理装置の一例を示す外観図である。
【００１３】
図１において、情報処理装置Ｇは、映像・音声入力部２１と映像・音声出力部２８とに接続される映像・音声処理集積素子３１と、これに接続される中央処理装置であり制御部であるＣＰＵ２４と、これに接続される記憶領域であるＲＡＭ１１と、同様にＣＰＵ２４に接続されるハードディスク２５と、同様にＣＰＵ２４に接続される内蔵される記憶領域であるフラッシュメモリ３２と、同様にＣＰＵ２４に接続される操作情報等を表示する液晶表示部３０と、同様にＣＰＵ２４に接続される操作スイッチ２９と、ＵＳＢ端子４５と、電源部３５とを有している。
【００１４】
マイクロプロセッサ２４には、この情報処理装置Ｇの音声録音や映像記録、音声・映像再生又は動作電源オフ等の操作入力用のスイッチを有した操作スイッチ２９と、この操作スイッチ２９からの入力に応じて、情報処理装置Ｇの動作状態を示す液晶表示部３０が接続されている。
【００１５】
又、Ａ／Ｄ回路２２、符号化圧縮回路２３、復号化伸張回路２６、及びＤ／Ａ回路２７は、１チップの映像・音声処理集積素子（以下、映像・音声処理ＩＣという）３１で構成されている。
【００１６】
又、情報処理装置Ｇは、更に、ＣＰＵ２４に接続された、例えばブルートゥース（Bluetooth）等の近距離無線通信のインタフェースである無線通信部１２を有している。ここで、ブルートゥース（Bluetooth）とは、１０ｍ程度の近距離無線通信のインタフェース規格であり、最大通信速度は１Ｍビット／秒であって、ＩＥＥＥ８０２．１１ｂ方式無線ＬＡＮと同じ２．４ＧＨｘ帯の周波数を使うものである。
【００１７】
又、無線通信部１２は、ブルートゥースに限らず、同等の近距離無線通信であればよく、例えば、ＵＷＢ規格，赤外線通信規格、無線ＬＡＮ（ＩＥＥＥ８０２．１１）規格等の規格が好適であるがこれらに限るものではない。
【００１８】
又、更に、図２において、情報処理装置Ｇは、各操作スイッチ２９として、各種動作設定等を設定する際のメニュ画面を呼び出すためのメニュボタン４１と、ボリュームスイッチ４１，４４と、早送り巻き戻し頭出し等の操作を行うジョグスイッチ４３と、ＵＳＢ端子４５と、ＡＣアダプタジャック４６と、ホールドスイッチ４７と、ヘッドホンジャック４８と、電源部３５が充電池であった場合の充電インジケータ４９とを有している
このような構成において、本発明に係る情報処理装置である情報処理装置Ｇは、以下のように記録処理を行う。すなわち、映像・音声入力回路２１は、音楽や人の声などの音声を集音したり映像情報を取得してこれをアナログの電気信号を生成するマイクロホンとマイクロホン又はＣＣＤカメラ等で生成されたアナログ音声信号を増幅する増幅回路から構成されている。
【００１９】
この映像・音声入力回路２１で生成されたアナログ映像・音声信号は、基本的に初期設定として与えられた動作モードに応じて、上述した操作スイッチ２９から与えられた操作情報に応じて、アナログ／デジタル変換回路（以下、Ａ／Ｄ回路という）２２でデジタル映像・音声信号に変換されて、符号化圧縮回路２３に供給される。この符号化圧縮回路２３は、デジタル映像・音声信号を符号化し、データ圧縮を行い、所定のデジタル圧縮データが生成される。この符号化圧縮回路２３での符号化圧縮は、一例として、ＩＴＵ（国際電気通信連合）規格のＧ７２９Ａの圧縮技術を用いている。
【００２０】
この符号化圧縮回路２３で生成されたデジタル符号化圧縮データは、マイクロプロセッサ２４を介して、ハードディスク２５又は内蔵されたフラッシュメモリ３２に記録される。このマイクロプロセッサ２４は、ハードディスク２５、又は内蔵されたフラッシュメモリ３２にデジタル符号化圧縮データの書き込み及び読み出し制御を行うと共に、書込デジタル符号化圧縮データの管理データも生成するようになっている。
【００２１】
又、更に、本発明に係る情報処理装置である情報処理装置Ｇは、以下のように再生処理を行う。情報処理装置Ｇは、基本的に初期設定として与えられた動作モードに応じて、上述した操作スイッチ２９から与えられた操作情報に従って、このマイクロプロセッサ２４の制御下において、ハードディスク２５又は内蔵されたフラッシュメモリ３２から読み出されたデジタル符号化圧縮データが、復号化伸張回路２６でデータ伸張され、復号化してデジタル映像・音声信号に変換される。この復号化伸張回路２６で生成されたデジタル映像・音声信号は、デジタル／アナログ変換回路（以下、Ｄ／Ａ回路という）２７でアナログ映像・音声信号に変換され、増幅回路とスピーカ又はディスプレイから構成される映像・音声出力回路２８へと供給されることで、再生処理がなされるものである。
【００２２】
又、更に、本発明に係る情報処理装置である情報処理装置Ｇは、基本的に初期設定として与えられた動作モードに応じて、上述した操作スイッチ２９から与えられた操作情報に従って、他に、ハードディスク２５又は内蔵されたフラッシュメモリ３２から読み出されたデジタルデータ等を対照として編集処理等を行うことも可能である。又、これらの処理における操作情報は、本体に設けられた操作スイッチ２９やリモコン２９Ｒからユーザの操作により与えられるものであるが、後述するように、ＵＳＢ端子４５や無線通信部１２を介して、携帯電話やＰＣ等から与えられるものであってもよい。
【００２３】
＜本発明の一実施形態である移動型通話装置＞
次に、本発明の一実施形態である情報再生システムを構成する移動型通話装置を図面を用いて説明する。移動型通話装置Ｍは、アンテナ２０１と、デュプレクサ２０２と、ＲＦ受信利得可変増幅器２０３と、ＲＦ帯域制限フィルタ２０４と、周波数変換器２０５と、ＩＦ帯域制限フィルタ２０６と、ＩＦ受信利得可変増幅器２０７と、変調・復調部２０８と、ＩＦ送信利得可変増幅器２１１と、周波数変換器２１２と、ＲＦ帯域制限フィルタ２１３と、ＲＦ送信利得可変増幅器２１４と、電力増幅器２１５と、アイソレータ２１６と、ボコーダ２２３と、スピーカ２２４とを有している。
【００２４】
又、更に、移動型通話装置Ｍは、全体の動作を制御する制御部２３１と、これに接続され操作情報や写真画像等を表示する表示部２３３と、この移動型通話装置Ｍの操作を行うべく図７に示すように複数のスイッチ３０１、３０２，３０３，３０４，３０５，３０６，３０７，３０８，３０９等を有している操作部２３４と、ブルートゥースＩ／Ｆ部等の無線通信部２３２とを有している。ここで、無線通信部２３２は、ブルートゥースＩ／Ｆ部の例を上げたが、情報処理装置Ｇの無線通信部１２と同様に、同等の近距離無線通信であればよく、例えば、ＵＷＢ規格，赤外線通信規格、無線ＬＡＮ（ＩＥＥＥ８０２．１１）規格等の規格が好適であるがこれらに限るものではない。
【００２５】
又、変調・復調部２０８は、例えば直交復調部２８１と、Ａ／Ｄ変換部２８２と、情報信号復調部２８３と、復号化部２９２とからなり、更に、ボコーダ２２３からの信号を暗号化する暗号化部２８９と、情報信号変調部２８４と、Ｄ／Ａ変換部２８５と、直交変調部２８６とにより構成される。この構成において、直交復調部２８１で直交復調された信号はＡ／Ｄ変換部２８２でＡ／Ｄ変換され、信号復調部２８３で情報信号復調されて、復号化部２９２により復号されて出力される。
【００２６】
この移動型通話装置Ｍはこのような構成において、受信処理について説明すると、基地局から送信されるフォワードリンク信号はアンテナ２０１で受信、デュプレクサ２０２で受信信号帯域内の成分だけフィルタリングされ、ＲＦ受信利得可変増幅器２０３で増幅あるいは減衰され、ＲＦ帯域制限フィルタ２０４で不要成分をフィルタリングされ、周波数変換器２０５でＲＦ帯からＩＦ帯へ周波数変換され、ＩＦ帯域制限フィルタ２０６で不要成分をフィルタリングされ、ＩＦ受信利得可変増幅器２０７で増幅あるいは減衰され、変調・復調部２０８へ入力する。
【００２７】
変調・復調部２０８は、例えば直交復調部２８１と、Ａ／Ｄ変換部２８２と、情報信号復調部２８３と、情報信号変調部２８４と、Ｄ／Ａ変換部２８５と、直交変調部２８６で構成される。
【００２８】
ここで、暗号化部２８９と復号化部２９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部２９２との鍵情報が共通であればよい。
【００２９】
この構成を有する移動型通話装置Ｍの受信処理について以下に説明すると、表示部２３３の操作情報の表示に応じて、ユーザの操作部２３４から与えられる操作情報に応じ、制御部２３１の動作制御に従って、以下のような動作が行われる。すなわち、直交復調部２８１で直交復調された信号は、Ａ／Ｄ変換部２８２でＡ／Ｄ変換され信号復調部２８３で情報信号復調され、更に復号化部２９２で復号されて音声としてスピーカ２２４に出力される。
【００３０】
又、更にこの移動型通話装置Ｍの送信処理について以下に説明すると、同様に、表示部２３３の操作情報の表示に応じて、ユーザの操作部２３４から与えられる操作情報に応じ、制御部２３１の動作制御に従って、以下のような動作が行われる。すなわち、移動局から送信されるリバースリンク信号はボコーダ２２３により与えられ、これを暗号化部２８９にて暗号化する。この暗号化された暗号化信号は、情報信号変調部２８４で変調されて出力されＤ／Ａ変換部２８５でＤ／Ａ変換、直交変調部２８６で直交変調され、ＩＦ送信利得可変増幅器２１１で増幅あるいは減衰され、周波数変換器２１２でＩＦ帯からＲＦ帯へ周波数変換され、ＲＦ帯域制限フィルタ２１３で不要成分をフィルタリングして、ＲＦ送信利得可変増幅器２１４で増幅あるいは減衰され、電力増幅器２１５で増幅され、アイソレータ２１６を介してデュプレクサ２０２で送信信号帯域内の成分だけフィルタリングされて、アンテナ２０１で空間へ送信されるものである。
【００３１】
又、このような送受信処理を応用することで、基地局Ｂを経由してインターネットに接続することが可能となり、ＵＲＬを指定して所望のサーバＳ等に対して情報の送受信を行ったり、ｅメール等を利用することが可能である。
【００３２】
＜移動型通話装置Ｍによる情報処理装置の操作方法＞
上述したような本発明の一実施形態の情報処理装置Ｇは、以下に図面を用いて説明するように、移動型通話装置Ｍからの操作情報に応じて、再生処理等の動作処理を行うものである。図５は、本発明の一実施形態に係る情報処理装置と移動型通話装置とサーバ装置との関係の一例を示すシステム図、図６は、同じく情報処理装置のオーディオデータのフォルダ構造の一例を示す説明図、図７は、同じく情報処理装置の操作を行う移動型通話装置の表示画面（全スイッチ表示）の一例を示す説明図、図８は、同じく表示画面（スイッチ有１）の一例を示す説明図、図９は、同じく表示画面（スイッチ有２）の一例を示す説明図、図１０は、同じく表示画面（スイッチ有３）の一例を示す説明図、図１１は、同じく表示画面（スイッチ有４）の一例を示す説明図、図１２は、同じく表示画面（スイッチ有５）の一例を示す説明図、図１３は、同じく表示画面（スイッチなし）の一例を示す説明図、図１４は、同じく表示画面（スイッチ有６）の一例を示す説明図、図１５は、同じく表示画面（ツリー）の一例を示す説明図、図１６は、同じく情報処理装置の操作を移動型通話装置から行う際の動作（選曲・再生）の一例を示すフローチャート、図１７は、同じく情報処理装置の操作を移動型通話装置から行う際の動作（選曲・歌詞取得・再生）の一例を示すフローチャート、図１８は、同じく情報処理装置の操作を移動型通話装置から行う際の動作（ミックスモード）の一例を示すフローチャート、図１９は、同じく情報処理装置、通信プロトコル（ブルートゥース）移動型通話装置間のコマンド対応表の一例である。
【００３３】
（基本動作）
以下に、フローチャートを用いて、本発明の一実施形態である情報処理装置Ｇを移動型通話装置により操作する場合を詳細に説明する。ここでは、情報処理装置ＧをオーディオプレーヤＧとし、移動型通話装置Ｍを携帯電話Ｍとして、図５のフローチャートにおいて説明すると、オーディオプレーヤＧは携帯電話Ｍとの間で、ＣＰＵ２４と無線通信部１２との働きにおいてブルートゥース等の無線通信を行い、例えば、図６に示すようなフォルダ構造等の操作情報を送信することで、複数の音声（音楽）ファイルから任意のファイルを再生させる等の操作を行うものである。
【００３４】
すなわち、図１６のフローチャートにおいて、初めに、オーディオプレーヤＧは、電源が入っていない状態で、例えば、バッテリ等の電源部３５により無線通信部１２だけが動作しており待機状態となっている（Ｓ１１）。なお、無線通信部１２を本体の電源のオン・オフと独立させて動作させるかどうかは、メニュ４１による仕様設定に応じて決定することができる。又、本体の電源というものを特に設けずに、どこかの操作スイッチ２９を操作することで電源がオンとなり、一定時間以上、全く操作がなければ電源がオフする等の仕様とすることも可能である。
【００３５】
一方、携帯電話Ｍにおいて、携帯電話Ｍは、制御部２３１の動作において、制御部２３１が保有するリモコンソフトを起動して通信可能エリアのブルートゥース機器を検出する（Ｓ１６）。ここで、このリモコンソフトは、ブルートゥース通信により、オーディオプレーヤＧから与えられるものでもよく、又、後述するように、基地局Ｂとインターネットを経由して所定のサーバＳに接続することで、サーバＳから供給されるものでもよい。ここでは、少なくとも、携帯電話Ｍの機種とオーディオプレーヤＧの機種とをサーバＳに対して指定することで、所望のリモコンソフトをダウンロードすることができる。又、リモコンソフトは、携帯電話Ｍの外部端子から与えられるものでもよい。
【００３６】
そして、携帯電話Ｍは、通信可能エリア内にオーディオプレーヤＧ等を検出すると（Ｓ１７）、オーディオプレーヤＧと認証処理を経て認証処理に成功すれば、携帯電話ＭをオーディオプレーヤＧに接続する（Ｓ１２，Ｓ１８）。この後に、携帯電話Ｍの方から電源オンの命令を行い（Ｓ１８−２）、オーディオプレーヤＧの電源をオンする（Ｓ１３）ことも好適である。これに応じてオーディオプレーヤＧは、電源をオンする（Ｓ１２）。
【００３７】
そして、携帯電話ＭからオーディオプレーヤＧへ、図６に示すような音声ファイルのフォルダ構成、又、各種の設定値、図７に示すような操作キー画像２９ｍ、操作画面３０ｍ１、又は、これらの操作キー画像２９ｍ、操作画面３０ｍ１等を携帯電話Ｍの制御部２３１で生成するための管理情報、更に、キー対応情報等を要求する（Ｓ１９）。ここで、キー対応情報とは、一例として、図１９に示すような携帯電話Ｍにおけるスイッチ３０２，３０４，３０７（上），３０７（押），３０７（下），３０５等と、ブルートゥースプロトコルにおけるコード番号等と、オーディオプレーヤＧにおけるメニューキー４１、音量アップキー４２、ジョグアップキー４３、ジョグリタンキー４３，ジョグダウンキー４３、音量ダウンキー４４等との関係を示した対応情報であり、この表の例に限定されず、あらゆる組合せが可能である。
【００３８】
オーディオプレーヤＧは、ＣＰＵ２４と無線通信部１２との働きにおいて、上述した携帯電話Ｍからの要求に応じて、図６に示すような音声ファイルのフォルダ構成、ディスクの空き容量、又、各種の設定値、図７に示すような操作画面のための画像２９ｍ、３０ｍ１、又は、画像２９ｍ、３０ｍ１等を生成するための管理情報、更に、図１９に示すようなキー対応情報等を携帯電話Ｍに送信する（Ｓ１４）。
【００３９】
携帯電話Ｍでは、受け取った諸情報に基づいて、画面にフォルダ構成に応じたファイル情報を、例えばツリー状に画面表示する。そして、必要に応じてプレーヤの操作キー画像を表示することも好適である（Ｓ２０）。そして、ユーザは、この表示を閲覧しながら、キー操作を行い、制御部２３１ではキー操作に応じて表示を異ならせて表示する（Ｓ２１）。ユーザの所望の曲に応じた音声ファイルが決定されればこれをオーディオプレーヤＧに転送し、オーディオプレーヤＧでは、携帯電話により指定された曲の再生を行うものである（Ｓ１５）。
【００４０】
なお、ここで、携帯電話ＭとオーディオプレーヤＧとの操作上の仕様等により、以下のように様々な操作表示が可能となる。以下に、これらを図面を用いて詳細に説明する。
【００４１】
・操作キー画像がある場合
携帯電話Ｍは、ステップＳ１４のオーディオプレーヤＧからの操作情報に応じて、ブルートゥースＩ／Ｆ部２３２等の通信部を介して、制御部２３１の働きに応じて、図７乃至図１５に示すようなフォルダ構成に応じたファイル情報を（ツリー状に）表示するものである。又、ここで、必要に応じてオーディオプレーヤＧの操作キー画像２９ｍを画面表示するものである（Ｓ２０）。なお、ここでの携帯電話ＭとオーディオプレーヤＧとの操作情報の応答は様々な形態が可能であり、以下にその一部を説明する。
【００４２】
すなわち、以下、携帯電話Ｍの操作画面に応じて、順を追って説明する。図７の操作画面においては、図２の情報処理装置Ｇの操作キー２９に応じた操作キー画像２９ｍが示され、音声ファイルを選択するための操作画面３０ｍ１が示されている。
【００４３】
ここでは、携帯電話ＭにオーディオプレーヤＧのジョグスイッチ４３に完全に対応する操作キーが存在しない場合の対応方法であり、操作キー画像２９ｍ中のメニューキー画像４１ｍ、ボリュームアップキー４２ｍ、ボリュームダウンキー４４ｍと共に、各種キー４３ｍが、頭だしキー、戻りキー、再生キー、停止キー、送りキー、頭だしキー等、一つのジョグキーで操作するところを、複数のアイコンで表示している。ユーザは、例えば、矢印操作キー３０６Ｕ，３０６Ｄ，３０６Ｌ，３０６Ｒ等で、所定のアイコンを特定し、中央キー３０７Ｂでリターンすることで、オーディオプレーヤＧのジョグスイッチ４３を操作したのと同じ効果を、オーディオプレーヤＧに与えることができる。又、ジョグキー以外のキーについてもアイコンを特定してリターンすることで、同様の操作を意味させることが可能である。
【００４４】
又、例えば、上述した図１９のコマンド対応表に示すように、携帯電話Ｍの操作キーとオーディオプレーヤＧとの対応関係がとれている場合、例えば、図８乃至図１３に示すように、ジョグキー画像４３ｍも、実際のジョグキー４３と同様に表示することが好適である。これらの操作キー画像が示される画面３０ｍ５乃至３０ｍ８においては、以下のような手順でユーザにより操作が行われるものである。
【００４５】
図８につき、携帯電話Ｍの操作キー３０２が、メニューキー画像４１ｍに対応しており、これを操作することで例えば、操作画面３０ｍ３にて『ナビ』を選択し、同様に、図９において、操作キー３０７がジョグキー画像４３ｍに対応しており、これを操作することで例えば、操作画面３０ｍ４にて『フォルダ』を選択する。同様に、図１０において、操作キー３０７がジョグキー画像４３ｍに対応しており、これを操作することで例えば、操作画面３０ｍ５にて『Ｊ．Ｐｏｐ』を選択する。同様に、図１１において、操作キー３０７がジョグキー画像４３ｍに対応しており、これを操作することで例えば、操作画面３０ｍ６にて『アーティスト』を選択する。同様に、図１２において、操作キー３０７がジョグキー画像４３ｍに対応しており、これを操作することで例えば、操作画面３０ｍ７にて『アーティスト』を選択する。同様に、図１３において、操作キー３０７がジョグキー画像４３ｍに対応しており、これを操作することで例えば、操作画面３０ｍ８にて『アルバム』を選択することができる。このような手順で、オーディオプレーヤＧに再生させたいアルバム中の曲を携帯電話Ｍの画面を参照しながら容易に特定することが可能なる。
【００４６】
・操作キー画像がない場合
又、図１４の操作画面３０ｍ２においては、操作キー画像２９ｍが示されておらず、操作画面３０ｍだけが示されている。これは、同様に、上述した図１９のコマンド対応表に示すように、携帯電話Ｍの操作キーとオーディオプレーヤＧとの対応関係がとれており、操作キー画像を不要と考えた場合の実施形態であり、操作キー画像をより大きく表示することができる。これにより、図１５に示すように、複数の音声ファイルのフォルダ構造（ツリー構造）の全て又は一部を画面に表示することも好適である。ここで、ユーザは、例えば、矢印操作キー３０６Ｕ，３０６Ｄ，３０６Ｌ，３０６Ｒ等で、ツリー状の複数ファイルから所望のオーディオデータを選択して特定し、再生命令を出すことが可能となる。ここでは、アーティスト名、アルバム名、オーディオ（曲名）名の順番に特定することが可能となる。
【００４７】
（応用動作）
・歌詞情報の表示
次に、図５に示すように、携帯電話Ｍから基地局Ｂ、インターネットを経由して、サーバＳにアクセスし、選択された曲に応じた歌詞情報を取得してこれを携帯電話ＭやオーディオプレーヤＧで表示しながら音楽を再生するものである。
【００４８】
図１７のフローチャートにおいて、ステップＳ１１及びＳ２０については図１６のフローチャートと同様であり記載を省略する。携帯電話Ｍにおいて、ステップＳ２０につき、ユーザが操作スイッチ及び操作画面から希望の曲を特定すると、次に、携帯電話Ｍは、制御部２３１の動作に応じて、基地局Ｂに接続し、ここからインターネットを経由して、サーバＳに、曲名又はアーティスト名、曲番号等を手がかりに、歌詞情報を要求する（Ｓ３１）。これに対して、サーバＳは、曲名又はアーティスト名、曲番号等を手がかりに内蔵するデータベースから対応の歌詞情報やその他の関係情報を抽出して、携帯電話Ｍに送信するものである（Ｓ３２）。
【００４９】
携帯電話Ｍでは、サーバＳから歌詞情報やその他の関係情報を受けるか、所定時間を経過したら、この曲の再生命令を歌詞情報と共に、プレーヤに送信する（Ｓ３３）。又は、この歌詞情報を携帯電話Ｍの表示画面上に、オーディオプレーヤＧの再生と共に表示することも好適である。オーディオプレーヤＧは、提供された歌詞情報を表示しながら、指定された曲の再生を行う（Ｓ３４）。又は、歌詞情報の表示は行わずに、指定された音声ファイルの再生を行うことも同様に可能である。
【００５０】
・着信ミックスモード／格納処理
このように携帯電話ＭとオーディオプレーヤＧとが連携することにより、他の処理も可能となるものである。例えば、『着信ミックスモード』等の動作モードを用意しておき、このモードが選択されれば、携帯電話Ｍに着信があれば、オーディオプレーヤＧでユーザに知らせることも好適である。
【００５１】
図１８のフローチャートにおいて、ステップＳ１１及びＳ１９については図１６のフローチャートと同様であり記載を省略する。携帯電話Ｍにおいて、ステップＳ１４につき、操作情報がオーディオプレーヤＧから与えられると、ユーザの操作に応じて、着信ミックスモードが選択されれば、これをオーディオプレーヤＧへ通知される（Ｓ４１）。オーディオプレーヤＧにおいては、携帯電話Ｍからの指示信号に応じて、着信ミックスモードが選択される（Ｓ４２）。
【００５２】
そして、携帯電話Ｍにおいて着信があると（Ｓ４３）、着信番号と共に着信があったことをプレーヤＧに通知する（Ｓ４４）。オーディオプレーヤＧにおいては、通知を受けたら再生中の音楽を停止又は音量を小さくして、着信番号に応じて登録してあった着信音又は着信曲を鳴らして、着信があったことをユーザに伝える（Ｓ４５）。すなわち、予め、オーディオプレーヤＧにおいて、電話番号と特定の音楽ファイルを関係付けておくことで、電話帳情報に応じた多くの曲で着信を知らせることが可能となる。
【００５３】
又、更に、携帯電話ＭとオーディオプレーヤＧとが連携することにより、比較的記憶容量に余裕のない携帯電話において、オーディオプレーヤＧをデータの保存場所として利用することができる。
【００５４】
すなわち、携帯電話Ｍにおいて、ユーザの操作に従って、現在のオーディオプレーヤＧにおける音声ファイル等のフォルダ構造やディスクの空き容量等の格納状況を画面表示して、ユーザの携帯電話Ｍの各種データの転送の操作を促す（Ｓ４６）。ここで、携帯電話Ｍの制御部２３１の判断により、容量の大小を計算して転送可能なファイルだけを表示することも好適である。その後のユーザの操作により特定された転送すべきファイルと、転送先とに応じて、携帯電話内の音楽ファイルや動画・静止画・メール等の情報を適宜、プレーヤの所定の記憶領域に転送する（Ｓ４７）。一方、オーディオプレーヤＧにおいては、携帯電話Ｍから転送された音楽ファイルや動画・静止画・メール等の情報を適宜、ハードディスク２５等のユーザに指定された位置の記憶領域に格納するものである（Ｓ４８）。
【００５５】
このように、本発明の実施形態である情報処理装置と移動型通話装置とを組み合わせることで、携帯電話Ｍにおいて、メモリや動作上の負担ともなるメールファイル、電話帳ファイル、音楽ファイル、画像ファイル、動画ファイル、アプリケーションファイル等を、この情報処理装置に容易に保存することが可能となり、携帯電話による種々のファイル動作を、自宅で使用するパーソナルコンピュータに近い環境で行うことが可能となるものである。
【００５６】
又、更に、オーディオプレーヤＧを携帯電話Ｍと連携して動作させることで、インターネットへの接続が容易となるため、例えば、音楽関係のサイトとの連携動作が色々と可能となってくる。例えば、米gracenote社（登録商標）では、音声情報の波形から、曲名や曲の管理暗号等を決定することができるサービスを行っていることが知られている。
【００５７】
このような曲名検索サイトに対して、オーディオプレーヤＧにおいて、ＣＰＵ２４の働きにおいて、ファイル名、タグに曲についての情報がない場合、ユーザの指示を待たずに、音声ファイルから波形を抽出して、検索情報として記憶領域に音声ファイルと関連づけてハードディスク２５に記録しておく。そして、携帯電話Ｍと接続した際に、ユーザの指示を待たずに、携帯電話Ｍを経由して、検索サイトにアクセスし、曲名等が不明な曲名を検出し、更に、この音声ファイル名を検索した名称に変更しておくことが好適である。
【００５８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。例えば、上記の実施形態では、音声ファイル等を中心に説明してあるが、本発明の実施形態はこれに限るものではなく、動画ファイルやデータベース等のデジタル情報一般を対象としたものである。従って、本発明は、開示された原理と新規な特徴に矛盾しない広範な範囲に及ぶものであり、上述した実施形態に限定されるものではない。
【図面の簡単な説明】
【００５９】
【図１】本発明の一実施形態に係る情報処理装置の構成の一例を示すブロック図。
【図２】本発明の一実施形態に係る情報処理装置の操作スイッチの一例を示す外観図。
【図３】本発明の一実施形態に係る情報処理装置の一例を示す外観図。
【図４】本発明の一実施形態に係る情報処理装置に操作信号を与える移動型通話装置の構成の一例を示すブロック図。
【図５】本発明の一実施形態に係る情報処理装置と移動型通話装置とサーバ装置との関係の一例を示すシステム図。
【図６】本発明の一実施形態に係る情報処理装置のオーディオデータのフォルダ構造の一例を示す説明図。
【図７】本発明の一実施形態に係る情報処理装置の操作を行う移動型通話装置の表示画面（全スイッチ表示）の一例を示す説明図。
【図８】本発明の一実施形態に係る情報処理装置の操作を行う移動型通話装置の表示画面（スイッチ有１）の一例を示す説明図。
【図９】本発明の一実施形態に係る情報処理装置の操作を行う移動型通話装置の表示画面（スイッチ有２）の一例を示す説明図。
【図１０】本発明の一実施形態に係る情報処理装置の操作を行う移動型通話装置の表示画面（スイッチ有３）の一例を示す説明図。
【図１１】本発明の一実施形態に係る情報処理装置の操作を行う移動型通話装置の表示画面（スイッチ有４）の一例を示す説明図。
【図１２】本発明の一実施形態に係る情報処理装置の操作を行う移動型通話装置の表示画面（スイッチ有５）の一例を示す説明図。
【図１３】本発明の一実施形態に係る情報処理装置の操作を行う移動型通話装置の表示画面（スイッチ有６）の一例を示す説明図。
【図１４】本発明の一実施形態に係る情報処理装置の操作を行う移動型通話装置の表示画面（スイッチなし）の一例を示す説明図。
【図１５】本発明の一実施形態に係る情報処理装置の操作を行う移動型通話装置の表示画面（ツリー）の一例を示す説明図。
【図１６】本発明の一実施形態に係る情報処理装置の操作を移動型通話装置から行う際の動作（選曲・再生）の一例を示すフローチャート。
【図１７】本発明の一実施形態に係る情報処理装置の操作を移動型通話装置から行う際の動作（選曲・歌詞取得・再生）の一例を示すフローチャート。
【図１８】本発明の一実施形態に係る情報処理装置の操作を移動型通話装置から行う際の動作（ミックスモード）の一例を示すフローチャート。
【図１９】本発明の一実施形態に係る情報処理装置、通信プロトコル（ブルートゥース）移動型通話装置間のコマンド対応表の一例。
【符号の説明】
【００６０】
１０…情報処理装置、１２…無線通信部（ブルートゥース）、２２…アナログ／デジタル変換回路、２３…符号化圧縮回路、２４…ＣＰＵ、２５…メモリカード、２６…復号化伸張回路、２７…デジタル／アナログ変換回路、２９…操作スイッチ、３０…液晶表示部、３１…映像・音声処理ＩＣ、３２…フラッシュメモリ、３３…ＵＳＢ端子、３４…ＵＳＢコントローラ、３５…電源部。
【図１】
2006094448.tif 000003
【図２】
2006094448.tif 000004
【図３】
2006094448.tif 000005
【図４】
2006094448.tif 000006
【図５】
2006094448.tif 000007
【図６】
2006094448.tif 000008
【図７】
2006094448.tif 000009
【図８】
2006094448.tif 000010
【図９】
2006094448.tif 000011
【図１０】
2006094448.tif 000012
【図１１】
2006094448.tif 000013
【図１２】
2006094448.tif 000014
【図１３】
2006094448.tif 000015
【図１４】
2006094448.tif 000016
【図１５】
2006094448.tif 000017
【図１６】
2006094448.tif 000018
【図１７】
2006094448.tif 000019
【図１８】
2006094448.tif 000020
【図１９】
2006094448.tif 000021